【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
尿道カテーテルと共に使用するための薬物送達装置であって、前記薬物送達装置が、
薬物を内部に収容する薬物チャンバと、
流体を内部に収容する流体チャンバと、
前記薬物チャンバと前記流体チャンバとを分離する浸透圧バリアと、
を備える、患者の身体の外側に配設されるように構成された薬物貯留部と、
前記薬物貯留部に取り付けられ、かつ前記患者の尿道を通って前記膀胱に到達するように構成された可撓性の細長い本体であって、前記本体が、そこを通って延在し、かつ前記薬物チャンバと流体連通している薬物送達管腔を備える、可撓性の細長い本体と、
を備える、薬物送達装置。
【請求項２】
前記薬物貯留部が、ハウジングを更に備え、前記薬物チャンバが、前記ハウジングの一部分及び前記浸透圧バリアによって画定され、前記流体チャンバが、前記ハウジングの一部分及び前記浸透圧バリアによって画定される、請求項１に記載の薬物送達装置。
【請求項３】
前記薬物が、固体形態である、請求項１に記載の薬物送達装置。
【請求項４】
前記薬物が、錠剤、ペレット、ビーズ、顆粒、又は粉末の形態である、請求項３に記載の薬物送達装置。
【請求項５】
前記薬物が、抗菌剤、抗線維化剤、抗ムスカリン剤、麻酔剤、抗侵害受容剤、又はこれらの組み合わせを含む、請求項１に記載の薬物送達装置。
【請求項６】
前記薬物が、結石を溶解するか又はバイオフィルムを分解する薬剤を含む、請求項１に記載の薬物送達装置。
【請求項７】
前記流体が、前記流体チャンバを実質的に充填する、請求項１に記載の薬物送達装置。
【請求項８】
前記流体が、水を含む、請求項１に記載の薬物送達装置。
【請求項９】
前記浸透圧バリアが、半透壁を含む、請求項１に記載の薬物送達装置。
【請求項１０】
前記浸透圧バリアは、前記流体がそこを通過することを可能にするが、前記薬物がそこを通過することを防止する半透過性ポリマー材料で形成されている、請求項１に記載の薬物送達装置。
【請求項１１】
前記薬物貯留部が、前記薬物を前記薬物チャンバから前記薬物送達管腔を通して押し出す浸透圧ポンプとして動作するように構成されている、請求項１に記載の薬物送達装置。
【請求項１２】
前記本体が、前記薬物貯留部に恒久的に取り付けられている、請求項１に記載の薬物送達装置。
【請求項１３】
前記本体が、管状形状を有する、請求項１に記載の薬物送達装置。
【請求項１４】
前記本体が、毛細管を含む、請求項１に記載の薬物送達装置。
【請求項１５】
前記薬物送達装置を前記尿道カテーテルに取り外し可能に取り付けるように構成された１つ又は２つ以上の解放可能な締結具を更に備える、請求項１に記載の薬物送達装置。
【請求項１６】
前記尿道カテーテルが、フォーリーカテーテルである、請求項１〜１５のいずれか一項の薬物送達装置。
【請求項１７】
尿道カテーテル及び薬物送達システムであって、
尿が患者の膀胱から排出されることを可能にするように構成された尿道カテーテルであって、前記尿道カテーテルが、前記患者の尿道を通って、前記膀胱に到達するように構成された可撓性の細長いカテーテル本体を含み、前記カテーテル本体が、そこを通って延在する排液管腔を備える、尿道カテーテルと、
前記尿道カテーテルと共に使用するために構成された薬物送達装置と、を備え、前記薬物送達装置が、
薬物を内部に収容する薬物チャンバと、
流体を内部に収容する流体チャンバと、
前記薬物チャンバと前記流体チャンバとを分離する浸透圧バリアと、
を備える、前記患者の身体の外側に配設されるように構成された薬物貯留部と、
前記薬物貯留部に取り付けられ、かつ前記患者の尿道を通って前記膀胱に到達するように構成された可撓性の細長い装置本体であって、前記装置本体が、そこを通って延在し、かつ前記薬物チャンバと流体連通している薬物送達管腔を備える、可撓性の細長い装置本体と、
を備える、尿道カテーテル及び薬物送達システム。
【請求項１８】
前記尿道カテーテルが、フォーリーカテーテルである、請求項１７に記載の尿道カテーテル及び薬物送達システム。
【請求項１９】
前記尿道カテーテルが、前記カテーテル本体に取り付けられ、かつ内部空洞を備えるバルーンを更に備え、前記カテーテル本体が、そこを通って延在し、かつ前記内部空洞と流体連通している膨張管腔を更に備える、請求項１７に記載の尿道カテーテル及び薬物送達システム。
【請求項２０】
前記薬物送達管腔が、カテーテル本体と前記バルーンとの間に延在している、請求項１９に記載の尿道カテーテル及び薬物送達システム。
【請求項２１】
前記薬物送達装置が、前記尿道カテーテルに取り付けられている、請求項１７に記載の尿道カテーテル及び薬物送達システム。
【請求項２２】
前記薬物送達装置が、前記尿道カテーテルに恒久的に取り付けられている、請求項２１に記載の尿道カテーテル及び薬物送達システム。
【請求項２３】
前記薬物送達装置が、前記尿道カテーテルに取り外し可能に取り付けられている、請求項２１に記載の尿道カテーテル及び薬物送達システム。
【請求項２４】
前記薬物送達装置が、１つ又は２つ以上の解放可能な締結具によって前記尿道カテーテルに取り外し可能に取り付けられている、請求項２３に記載の尿道カテーテル及び薬物送達システム。
【請求項２５】
前記装置本体が、前記カテーテル本体の外面に沿って延在している、請求項１７に記載の尿道カテーテル及び薬物送達システム。
【請求項２６】
前記装置本体が、前記カテーテル本体の前記外面に取り付けられている、請求項２５に記載の尿道カテーテル及び薬物送達システム。
【請求項２７】
前記排液管腔が、前記カテーテル本体の遠位開口部から近位開口部まで延在し、前記薬物送達管腔が、前記装置本体の遠位開口部から近位開口部まで延在している、請求項１７に記載の尿道カテーテル及び薬物送達システム。
【請求項２８】
前記薬物送達管腔の前記遠位開口部が、前記排液管腔の前記遠位開口部から遠位方向に離間している、請求項２７に記載の尿道カテーテル及び薬物送達システム。
【請求項２９】
前記薬物送達管腔の前記遠位開口部が、前記排液管腔の前記遠位開口部に隣接している、請求項２８に記載の尿道カテーテル及び薬物送達システム。
【請求項３０】
前記装置本体が、前記排液管腔を通って延在している、請求項１７に記載の尿道カテーテル及び薬物送達システム。
【請求項３１】
前記薬物が、錠剤、ペレット、ビーズ、顆粒、又は粉末の形態である、請求項１７に記載の尿道カテーテル及び薬物送達システム。
【請求項３２】
前記薬物が、前記薬物チャンバを実質的に充填する、請求項１７に記載の尿道カテーテル及び薬物送達システム。
【請求項３３】
前記薬物が、抗菌剤、抗線維化剤、抗ムスカリン剤、麻酔剤、抗侵害受容剤、又はこれらの組み合わせを含む、請求項１７に記載の尿道カテーテル及び薬物送達システム。
【請求項３４】
前記薬物が、結石を溶解するか又はバイオフィルムを分解する薬剤を含む、請求項１７に記載の尿道カテーテル及び薬物送達システム。
【請求項３５】
前記流体が、前記流体チャンバを実質的に充填する、請求項１７に記載の尿道カテーテル及び薬物送達システム。
【請求項３６】
前記流体が、水を含む、請求項１７に記載の尿道カテーテル及び薬物送達システム。
【請求項３７】
前記浸透圧バリアが、半透壁を含む、請求項１７に記載の尿道カテーテル及び薬物送達システム。
【請求項３８】
前記浸透圧バリアは、前記流体がそこを通過することを可能にするが、前記薬物がそこを通過することを防止する半透性ポリマー材料で形成される、請求項１７に記載の尿道カテーテル及び薬物送達システム。
【請求項３９】
前記薬物貯留部が、前記薬物を前記薬物チャンバから前記薬物送達管腔を通して押し出す浸透圧ポンプとして動作するように構成されている、請求項１７に記載の尿道カテーテル及び薬物送達システム。
【請求項４０】
前記装置本体が、前記薬物貯留部に恒久的に取り付けられている、請求項１７に記載の尿道カテーテル及び薬物送達システム。
【請求項４１】
前記装置本体が、管状形状を有する、請求項１７に記載の尿道カテーテル及び薬物送達システム。
【請求項４２】
前記装置本体が、毛細管を含む、請求項１７に記載の尿道カテーテル及び薬物送達システム。
【手続補正２】
【補正対象書類名】明細書
【補正対象項目名】００８６
【補正方法】変更
【補正の内容】
【００８６】
本明細書に引用される刊行物及びそれらが引用される材料は、参照により具体的に組み込まれる。本明細書に記載される装置、システム、及び方法の修正及び変形は、前述の詳細な説明から当業者には明らかであろう。そのような修正及び変形は、添付の特許請求の範囲に入ることが意図される。
また、本発明は以下を提供する。
［１］
尿道カテーテルと共に使用するための薬物送達装置であって、前記薬物送達装置が、
薬物を内部に収容する薬物チャンバと、
流体を内部に収容する流体チャンバと、
前記薬物チャンバと前記流体チャンバとを分離する浸透圧バリアと、
を備える、患者の身体の外側に配設されるように構成された薬物貯留部と、
前記薬物貯留部に取り付けられ、かつ前記患者の尿道を通って前記膀胱に到達するように構成された可撓性の細長い本体であって、前記本体が、そこを通って延在し、かつ前記薬物チャンバと流体連通している薬物送達管腔を備える、可撓性の細長い本体と、
を備える、薬物送達装置。
［２］
前記薬物貯留部が、ハウジングを更に備え、前記薬物チャンバが、前記ハウジングの一部分及び前記浸透圧バリアによって画定され、前記流体チャンバが、前記ハウジングの一部分及び前記浸透圧バリアによって画定される、［１］に記載の薬物送達装置。
［３］
前記薬物が、固体形態である、［１］に記載の薬物送達装置。
［４］
前記薬物が、錠剤、ペレット、ビーズ、顆粒、又は粉末の形態である、［３］に記載の薬物送達装置。
［５］
前記薬物が、抗菌剤、抗線維化剤、抗ムスカリン剤、麻酔剤、抗侵害受容剤、又はこれらの組み合わせを含む、［１］に記載の薬物送達装置。
［６］
前記薬物が、結石を溶解するか又はバイオフィルムを分解する薬剤を含む、［１］に記載の薬物送達装置。
［７］
前記流体が、前記流体チャンバを実質的に充填する、［１］に記載の薬物送達装置。
［８］
前記流体が、水を含む、［１］に記載の薬物送達装置。
［９］
前記浸透圧バリアが、半透壁を含む、［１］に記載の薬物送達装置。
［１０］
前記浸透圧バリアは、前記流体がそこを通過することを可能にするが、前記薬物がそこを通過することを防止する半透過性ポリマー材料で形成されている、［１］に記載の薬物送達装置。
［１１］
前記薬物貯留部が、前記薬物を前記薬物チャンバから前記薬物送達管腔を通して押し出す浸透圧ポンプとして動作するように構成されている、［１］に記載の薬物送達装置。
［１２］
前記本体が、前記薬物貯留部に恒久的に取り付けられている、［１］に記載の薬物送達装置。
［１３］
前記本体が、管状形状を有する、［１］に記載の薬物送達装置。
［１４］
前記本体が、毛細管を含む、［１］に記載の薬物送達装置。
［１５］
前記薬物送達装置を前記尿道カテーテルに取り外し可能に取り付けるように構成された１つ又は２つ以上の解放可能な締結具を更に備える、［１］に記載の薬物送達装置。
［１６］
前記尿道カテーテルが、フォーリーカテーテルである、［１］〜［１５］のいずれか一項の薬物送達装置。
［１７］
尿道カテーテル及び薬物送達システムであって、
尿が患者の膀胱から排出されることを可能にするように構成された尿道カテーテルであって、前記尿道カテーテルが、前記患者の尿道を通って、前記膀胱に到達するように構成された可撓性の細長いカテーテル本体を含み、前記カテーテル本体が、そこを通って延在する排液管腔を備える、尿道カテーテルと、
前記尿道カテーテルと共に使用するために構成された薬物送達装置と、を備え、前記薬物送達装置が、
薬物を内部に収容する薬物チャンバと、
流体を内部に収容する流体チャンバと、
前記薬物チャンバと前記流体チャンバとを分離する浸透圧バリアと、
を備える、前記患者の身体の外側に配設されるように構成された薬物貯留部と、
前記薬物貯留部に取り付けられ、かつ前記患者の尿道を通って前記膀胱に到達するように構成された可撓性の細長い装置本体であって、前記装置本体が、そこを通って延在し、かつ前記薬物チャンバと流体連通している薬物送達管腔を備える、可撓性の細長い装置本体と、
を備える、尿道カテーテル及び薬物送達システム。
［１８］
前記尿道カテーテルが、フォーリーカテーテルである、［１７］に記載の尿道カテーテル及び薬物送達システム。
［１９］
前記尿道カテーテルが、前記カテーテル本体に取り付けられ、かつ内部空洞を備えるバルーンを更に備え、前記カテーテル本体が、そこを通って延在し、かつ前記内部空洞と流体連通している膨張管腔を更に備える、［１７］に記載の尿道カテーテル及び薬物送達システム。
［２０］
前記薬物送達管腔が、カテーテル本体と前記バルーンとの間に延在している、［１９］に記載の尿道カテーテル及び薬物送達システム。
［２１］
前記薬物送達装置が、前記尿道カテーテルに取り付けられている、［１７］に記載の尿道カテーテル及び薬物送達システム。
［２２］
前記薬物送達装置が、前記尿道カテーテルに恒久的に取り付けられている、［２１］に記載の尿道カテーテル及び薬物送達システム。
［２３］
前記薬物送達装置が、前記尿道カテーテルに取り外し可能に取り付けられている、［２１］に記載の尿道カテーテル及び薬物送達システム。
［２４］
前記薬物送達装置が、１つ又は２つ以上の解放可能な締結具によって前記尿道カテーテルに取り外し可能に取り付けられている、［２３］に記載の尿道カテーテル及び薬物送達システム。
［２５］
前記装置本体が、前記カテーテル本体の外面に沿って延在している、［１７］に記載の尿道カテーテル及び薬物送達システム。
［２６］
前記装置本体が、前記カテーテル本体の前記外面に取り付けられている、［２５］に記載の尿道カテーテル及び薬物送達システム。
［２７］
前記排液管腔が、前記カテーテル本体の遠位開口部から近位開口部まで延在し、前記薬物送達管腔が、前記装置本体の遠位開口部から近位開口部まで延在している、［１７］に記載の尿道カテーテル及び薬物送達システム。
［２８］
前記薬物送達管腔の前記遠位開口部が、前記排液管腔の前記遠位開口部から遠位方向に離間している、［２７］に記載の尿道カテーテル及び薬物送達システム。
［２９］
前記薬物送達管腔の前記遠位開口部が、前記排液管腔の前記遠位開口部に隣接している、［２８］に記載の尿道カテーテル及び薬物送達システム。
［３０］
前記装置本体が、前記排液管腔を通って延在している、［１７］に記載の尿道カテーテル及び薬物送達システム。
［３１］
前記薬物が、錠剤、ペレット、ビーズ、顆粒、又は粉末の形態である、［１７］に記載の尿道カテーテル及び薬物送達システム。
［３２］
前記薬物が、前記薬物チャンバを実質的に充填する、［１７］に記載の尿道カテーテル及び薬物送達システム。
［３３］
前記薬物が、抗菌剤、抗線維化剤、抗ムスカリン剤、麻酔剤、抗侵害受容剤、又はこれらの組み合わせを含む、［１７］に記載の尿道カテーテル及び薬物送達システム。
［３４］
前記薬物が、結石を溶解するか又はバイオフィルムを分解する薬剤を含む、［１７］に記載の尿道カテーテル及び薬物送達システム。
［３５］
前記流体が、前記流体チャンバを実質的に充填する、［１７］に記載の尿道カテーテル及び薬物送達システム。
［３６］
前記流体が、水を含む、［１７］に記載の尿道カテーテル及び薬物送達システム。
［３７］
前記浸透圧バリアが、半透壁を含む、［１７］に記載の尿道カテーテル及び薬物送達システム。
［３８］
前記浸透圧バリアは、前記流体がそこを通過することを可能にするが、前記薬物がそこを通過することを防止する半透性ポリマー材料で形成される、［１７］に記載の尿道カテーテル及び薬物送達システム。
［３９］
前記薬物貯留部が、前記薬物を前記薬物チャンバから前記薬物送達管腔を通して押し出す浸透圧ポンプとして動作するように構成されている、［１７］に記載の尿道カテーテル及び薬物送達システム。
［４０］
前記装置本体が、前記薬物貯留部に恒久的に取り付けられている、［１７］に記載の尿道カテーテル及び薬物送達システム。
［４１］
前記装置本体が、管状形状を有する、［１７］に記載の尿道カテーテル及び薬物送達システム。
［４２］
前記装置本体が、毛細管を含む、［１７］に記載の尿道カテーテル及び薬物送達システム。
［４３］
薬物を必要とする患者に前記薬物を投与する方法であって、
薬物送達装置及び尿道カテーテルの遠位端部分を患者の尿道を通して挿入し、かつ前記患者の身体の外側に配置された前記薬物送達装置及び尿道カテーテルの近位端部分を維持しながら、前記遠位端部分を前記膀胱内に配置することと、
尿が前記膀胱から前記尿道カテーテルを通って排出されることを可能にすることと、
前記薬物送達装置の前記近位端部分から前記膀胱に、浸透圧を介して、薬物を送達することと、を含む、方法。
［４４］
前記薬物送達装置及び前記尿道カテーテルの前記遠位端部分を前記患者の尿道を通して挿入することが、前記薬物送達装置及び前記尿道カテーテルの前記遠位端部分を前記患者の尿道を通して同時に挿入することを含む、［４３］に記載の方法。
［４５］
前記薬物送達装置が、前記尿道カテーテルに取り付けられている、［４３］に記載の方法。
［４６］
前記薬物送達装置が、前記尿道カテーテルに恒久的に取り付けられている、［４５］に記載の方法。
［４７］
前記薬物送達装置が、前記尿道カテーテルに取り外し可能に取り付けられている、［４５］に記載の方法。
［４８］
前記薬物送達装置の前記近位端部分が、薬物貯留部を備え、前記薬物貯留部が、
前記薬物を内部に収容する薬物チャンバと、
流体を内部に収容する流体チャンバと、
前記薬物チャンバと前記流体チャンバとを分離する浸透圧バリアと、を備える、［４７］に記載の方法。
［４９］
前記薬物送達装置が、前記薬物貯留部に取り付けられた可撓性の細長い装置本体を更に備え、前記装置本体が、そこを通って延在し、かつ前記薬物チャンバと流体連通している薬物送達管腔を備える、［４８］に記載の方法。
［５０］
前記薬物送達装置の前記遠位端部分を前記患者の尿道を通して挿入することが、前記装置本体の近位端部分を前記患者の身体の外側に位置付けら配置したまま、前記装置本体の遠位端部分を前記患者の尿道を通して挿入することを含む、［４９］に記載の方法。
［５１］
前記装置本体が、毛細管である、［４８］に記載の方法。
［５２］
前記浸透圧バリアが、半透壁を含む、［４８］に記載の方法。
［５３］
前記浸透圧バリアは、前記流体がそこを通過することを可能にするが、前記薬物がそこを通過することを防止する半透性ポリマー材料で形成されている、［４８］に記載の方法。
［５４］
前記薬物が、固体形態であり、かつ／又は前記流体が、水を含む、［５３］に記載の方法。
［５５］
前記薬物が、抗菌剤、抗線維化剤、抗ムスカリン剤、麻酔剤、抗侵害受容剤、又はこれらの組み合わせを含む、［４３］に記載の方法。
［５６］
前記薬物が、結石を溶解するか又はバイオフィルムを分解する薬剤を含む、［４３］に記載の方法。
［５７］
前記尿道カテーテルが、前記尿道カテーテルの前記遠位端部分に沿って配置された遠位開口部を有する排液管腔を備え、前記薬物送達装置が、前記薬物送達装置の前記遠位端部分に沿って配置された遠位開口部を有する薬物送達管腔を備える、［４３］に記載の方法。
［５８］
前記薬物送達装置及び前記尿道カテーテルの前記遠位端部分を前記膀胱内に配置することが、前記薬物送達管腔の前記遠位開口部を前記排液管腔の前記遠位開口部に対して遠位方向に配置することを含む、［５７］に記載の方法。
［５９］
前記薬物を前記膀胱内に送達することが、前記薬物を前記薬物送達管腔の前記遠位開口部から前記膀胱内に直接放出することを含む、［５７］に記載の方法。
［６０］
前記薬物送達装置が、前記尿道カテーテルの前記排液管腔を通って延在している、［５７］に記載の方法。
［６１］
前記尿道カテーテルが、フォーリーカテーテルである、［４３］〜［６０］のいずれか一項の方法。
［６２］
尿道カテーテル及び薬物送達システムであって、
尿が患者の膀胱から排出されることを可能にするように構成された尿道カテーテルであって、前記尿道カテーテルが、前記尿道を通って、前記膀胱に到達するように構成された可撓性の細長いカテーテル本体を備え、前記カテーテル本体が、そこを通って、前記カテーテル本体内に画定された遠位開口部から近位開口部に延在する排液管腔を備える、尿道カテーテルと、
前記尿道カテーテルに取り付けられた薬物送達装置であって、前記薬物送達装置が、前記排液管腔の前記遠位開口部の近くに配置され、前記患者の膀胱内に配設されるように構成された薬物貯留部を備え、前記薬物貯留部が、薬物を内部に収容する薬物チャンバを備える、薬物送達装置と、を備える、尿道カテーテル及び薬物送達システム。
［６３］
前記尿道カテーテルが、フォーリーカテーテルである、［６２］に記載の尿道カテーテル及び薬物送達システム。
［６４］
前記尿道カテーテルが、前記カテーテル本体に取り付けられ、かつ内部空洞を備えるバルーンを更に備え、前記カテーテル本体が、そこを通って延在し、かつ前記内部空洞と流体連通している膨張管腔を更に備える、［６２］に記載の尿道カテーテル及び薬物送達システム。
［６５］
前記薬物貯留部が、軸方向で前記排液管腔の前記遠位開口部と前記バルーンとの間に配置される、［６４］に記載の尿道カテーテル及び薬物送達システム。
［６６］
前記薬物貯留部が、前記排液管腔の前記遠位開口部及び前記バルーンの各々から軸方向に離間している、［６５］に記載の尿道カテーテル及び薬物送達システム。
［６７］
前記薬物送達装置が、前記尿道カテーテルに恒久的に取り付けられている、［６２］に記載の尿道カテーテル及び薬物送達システム。
［６８］
前記薬物送達装置が、前記尿道カテーテルに取り外し可能に取り付けられている、［６２］に記載の尿道カテーテル及び薬物送達システム。
［６９］
前記薬物送達装置が、１つ若しくは２つ以上の解放可能な締結具によって、及び／又は１つ若しくは２つ以上の剥離可能な接着剤によって、前記尿道カテーテルに取り外し可能に取り付けられている、［６８］に記載の尿道カテーテル及び薬物送達システム。
［７０］
前記薬物貯留部が、前記カテーテル本体の外面に沿って延在している、［６２］に記載の尿道カテーテル及び薬物送達システム。
［７１］
前記薬物貯留部が、前記カテーテル本体の前記外面に取り付けられている、［７０］に記載の尿道カテーテル及び薬物送達システム。
［７２］
前記薬物貯留部が、前記カテーテル本体の周囲に延在する環状形状を有する、［６２］に記載の尿道カテーテル及び薬物送達システム。
［７３］
前記薬物貯留部が、前記薬物貯留部の壁を通って延在し、かつ前記薬物チャンバと流体連通している１つ又は２つ以上の孔を備える、［６２］に記載の尿道カテーテル及び薬物送達システム。
［７４］
前記薬物貯留部が、透水性材料で形成されている、［６２］に記載の尿道カテーテル及び薬物送達システム。
［７５］
前記薬物貯留部が、前記薬物を前記患者の膀胱内に拡散を介して放出するように構成されている、［６２］に記載の尿道カテーテル及び薬物送達システム。
［７６］
前記薬物貯留部が、前記患者の膀胱内に浸透圧を介して、前記薬物を放出するように構成されている、［６２］に記載の尿道カテーテル及び薬物送達システム。
［７７］
前記薬物が、固体又は半固体形態である、［６２］に記載の尿道カテーテル及び薬物送達システム。
［７８］
前記薬物が、液体形態である、［６２］に記載の尿道カテーテル及び薬物送達システム。
［７９］
前記薬物が、抗菌剤、抗線維化剤、抗ムスカリン剤、麻酔剤、抗侵害受容剤、又はこれらの組み合わせを含む、［６２］に記載の尿道カテーテル及び薬物送達システム。
［８０］
前記薬物が、結石を溶解するか又はバイオフィルムを分解する薬物を含む、［６２］に記載の尿道カテーテル及び薬物送達システム。
［８１］
前記カテーテル本体が、そこを通って前記カテーテル本体内に画定された遠位開口部から近位開口部まで延在する薬物送達管腔を更に備え、前記薬物送達管腔が、前記薬物チャンバと流体連通している、［６２］に記載の尿道カテーテル及び薬物送達システム。
［８２］
前記薬物送達管腔の前記遠位開口部が、前記薬物貯留部に隣接して配置されている、［８１］に記載の尿道カテーテル及び薬物送達システム。
［８３］
前記薬物送達管腔と前記薬物チャンバとの間に配置された弁を更に備える、［８１］に記載の尿道カテーテル及び薬物送達システム。
［８４］
前記弁は、流体が前記薬物送達管腔から前記薬物チャンバ内に流れることを可能にするが、流体が前記薬物送達管腔から前記薬物送達管腔内に流れるのを防止するように構成された一方向弁を備える、［８３］に記載の尿道カテーテル及び薬物送達システム。
［８５］
薬物を必要とする患者に前記薬物を投与する方法であって、前記方法が、
薬物送達装置及び尿道カテーテルの遠位端部分を前記患者の尿道を通して挿入し、かつ前記薬物送達装置及び前記尿道カテーテルの前記遠位端部分を前記膀胱内に配置することと、
尿が前記膀胱から前記排液管腔を通って排出されることを可能にすることと、
前記薬物を前記薬物チャンバから前記膀胱内に送達することと、
を含み、前記尿道カテーテルが、そこを通って前記カテーテル本体内に画定された遠位開口部から近位開口部まで延在する排液管腔を備える可撓性の細長いカテーテル本体を備え、前記薬物送達装置が、前記排液管腔の前記遠位開口部の近くに配置され、かつ薬物を内部に収容する薬物チャンバを備える薬物貯留部を備える、方法。
［８６］
前記薬物送達装置及び前記尿道カテーテルを前記患者の尿道を通して挿入することが、前記薬物送達装置及び前記尿道カテーテルを前記患者の尿道を通して同時に挿入することを含む、［８５］に記載の方法。
［８７］
前記薬物送達装置が、前記尿道カテーテルに取り付けられている、［８５］に記載の方法。
［８８］
前記尿道カテーテルが、前記カテーテル本体に取り付けられ、かつ内部空洞を備えるバルーンを更に備え、前記方法が、前記膀胱内で前記バルーンを膨張させることを更に含む、［８５］に記載の方法。
［８９］
前記薬物貯留部が、前記排液管腔の前記遠位開口部と前記バルーンとの間に軸方向に配置されている、［８８］に記載の方法。
［９０］
前記薬物貯留部が、前記排液管腔の前記遠位開口部及び前記バルーンの各々から軸方向に離間している、［８９］に記載の方法。
［９１］
尿が前記薬物チャンバに入ることを可能にすることを更に含む、［８５］に記載の方法。
［９２］
前記薬物を前記薬物チャンバから前記膀胱内に送達することが、前記薬物を前記膀胱内に拡散を介して放出することを含む、［８５］に記載の方法。
［９３］
前記薬物を前記薬物チャンバから前記膀胱内に送達することが、前記薬物を前記膀胱内に浸透圧を介して放出することを含む、［８５］に記載の方法。
［９４］
前記カテーテル本体が、そこを通って前記カテーテル本体内に画定された遠位開口部から近位開口部まで延在する薬物送達管腔を更に備え、前記薬物送達管腔が、前記薬物チャンバと流体連通している、［８５］に記載の方法。
［９５］
前記薬物送達管腔を通して、前記薬物を前記薬物チャンバ内に送達することを更に含む、［９４］に記載の方法。
［９６］
前記薬物が、前記薬物送達装置を前記患者の尿道を通して挿入する前に、前記薬物送達管腔を通して前記薬物チャンバ内に送達される、［９５］に記載の方法。
［９７］
前記薬物が、前記薬物送達装置を前記患者の尿道を通して挿入した後に、前記薬物送達管腔を通して前記薬物チャンバ内に送達される、［９５］に記載の方法。
［９８］
尿道カテーテルが、フォーリーカテーテルである、［８５］〜［９７］のいずれか一項に記載の方法。